(57)【要約】      （修正有）【課題】シャーシの外面に配される回路基板の保持部材を薄型化すると共に、傾斜面と平坦面とを有するシャーシの外面であっても配置可能な保持部材を実現する。【解決手段】表示装置１０は、光源と、光源からの光を利用して画素を表示する表示パネル２０と、光源を収容するシャーシ３１と、シャーシ３１の表面のうち、光源が収容される面とは反対側の外面３１Ｓに配される回路基板４５を保持する保持部材９０と、を備え、保持部材９０は、外面３１Ｓに固定される固定部９１と、固定部９１と接続され、外面３１Ｓに沿って延在する本体部９３と、外面３１Ｓと本体部９３との間に形成された、回路基板４５が収容される収容空間Ｓ１と、本体部９３のうち固定部９１と反対側に設けられ、外面３１Ｓに当接される当接部９５と、を有する。【選択図】図６
2020034584.tif 000002
【特許請求の範囲】
【請求項１】
光源と、
前記光源からの光を利用して画素を表示する表示パネルと、
前記光源を収容するシャーシと、
前記シャーシの表面のうち、前記光源が収容される面とは反対側の外面に配される回路基板を保持する保持部材と、を備え、
前記保持部材は、
前記外面に固定される固定部と、
前記固定部と接続され、前記外面に沿って延在する本体部と、
前記外面と前記本体部との間に形成された、前記回路基板が収容される収容空間と、
前記本体部のうち前記固定部と反対側に設けられ、前記外面に当接される当接部と、を有する表示装置。
【請求項２】
前記本体部は弾性を有し、
前記当接部は、前記シャーシの前記外面に向かって付勢する前記本体部の弾性力によって、前記外面に当接されている請求項１記載の表示装置。
【請求項３】
前記固定部は板状をなし、その板面が前記シャーシの前記外面に固定されており、
前記固定部と前記本体部とを接続するように前記板面に交わる方向に立ち上がる突起部を備え、
前記本体部は、前記突起部から前記当接部に向けて細長状に延在している請求項２記載の表示装置。
【請求項４】
前記本体部は細長状をなし、
前記本体部には長手方向に沿って棒状の補強用リブが形成されている請求項２または請求項３記載の表示装置。
【請求項５】
前記シャーシは、前記光源を収容する底部と、前記底部から前記表示パネル側に立ち上がる側部と、前記側部の立ち上がり端から前記表示パネルと並行するように延伸する受け部と、を有し、
前記固定部は前記側部に配され、前記当接部は前記受け部に配されている請求項１から請求項４のいずれか１項に記載の表示装置。
【請求項６】
前記保持部材は樹脂材料により一体形成されている請求項１から請求項５のいずれか１項に記載の表示装置。
【請求項７】
前記固定部のうち、前記シャーシの前記外面と接する部分には接着部材が配されている請求項１から請求項６のいずれか１項に記載の表示装置。
【請求項８】
前記シャーシは金属からなり、
前記回路基板は前記シャーシに対向する側の面に回路パターンが形成されており、
前記保持部材の前記収容空間には、前記回路パターンのうち基準電位となる部分が収容されるように前記回路基板が配されている請求項１から請求項７のいずれか１項に記載の表示装置。
【請求項９】
前記表示パネルは液晶を用いた液晶パネルである請求項１から請求項８のいずれか１項に記載の表示装置。
【請求項１０】
請求項１から請求項９のいずれか１項に記載の表示装置を備えるテレビ受信装置。
【発明の詳細な説明】
【技術分野】
【０００１】
本発明は、表示装置及びテレビ受信装置に関する。
【背景技術】
【０００２】
従来の液晶表示装置の一例として下記特許文献１に記載されたものが知られている。特許文献１に記載された液晶表示装置は、光源を収容するシャーシの裏面（光源を収容される側とは反対側の外面）に、液晶パネルに駆動信号を供給する回路基板（ソース基板）を保持する保持部材（ワイヤーホルダー）を備える。このワイヤーホルダーは、シャーシの外面に接着される背面部と、背面部と対になる前板部との間に、ソース基板を挟み込んで保持する。ワイヤーホルダーは、ソース基板を挟み込む構成であるため、ソース基板が変形したり移動したりした場合でも、余分な圧力をソース基板にかけることなく保持できるものとなっている。
【先行技術文献】
【特許文献】
【０００３】
【特許文献１】特許第５１４８７７５号公報
【発明の概要】
【発明が解決しようとする課題】
【０００４】
上記した特許文献１に記載された液晶表示装置のワイヤーホルダーは、背面部及び前板部、並びにこれらの間のソース基板が配される空間が重ね合わされた厚みを有するため、シャーシの外面において凸状に突出して配置されている。近年、液晶表示装置本体の薄型化は著しい進歩を遂げており、その状況下において、このようなワイヤーホルダーの凸状の突出はより目立つものとなっている実情がある。
【０００５】
また、特許文献１に記載のワイヤーホルダーは、背面部をシャーシの平坦面である外面に接着するため、シャーシの外面が傾斜面と平坦面を有する場合などには、これらの部分に亘ってワイヤーホルダーを配置できない。配置場所がシャーシの外面のうち平坦面に限られてしまう。
【０００６】
本発明は上記のような実情に基づいて完成されたものであって、表示装置において、シャーシの外面に配される回路基板の保持部材を薄型化すると共に、傾斜面と平坦面とを有するシャーシの外面であっても配置可能な保持部材を実現することを目的とする。
【課題を解決するための手段】
【０００７】
本発明の表示装置は、光源と、前記光源からの光を利用して画素を表示する表示パネルと、前記光源を収容するシャーシと、前記シャーシの表面のうち、前記光源が収容される面とは反対側の外面に配される回路基板を保持する保持部材と、を備え、前記保持部材は、前記外面に固定される固定部と、前記固定部と接続され、前記外面に沿って延在する本体部と、前記外面と前記本体部との間に形成された、前記回路基板が収容される収容空間と、前記本体部のうち前記固定部と反対側に設けられ、前記外面に当接される当接部と、を有する。
【０００８】
このような構成によれば、回路基板は、シャーシの外面と、保持部材の本体部との間の収容空間に保持可能となる。従来技術のように、保持部材の背面部及び前板部で回路基板を挟む込む構成と比べて、保持部材の厚みを薄くすることができる。また、傾斜面と平坦面とを有するシャーシの外面であっても、そのような形状を有する外面と、保持部材の本体部との間に収容空間が形成されるため、保持部材を配置することができる。
【発明の効果】
【０００９】
本発明によれば、シャーシの外面に配される回路基板の保持部材を薄型化することができ、かつ、傾斜面と平坦面とを有するシャーシの外面であっても配置可能な保持部材を実現することができる。
【図面の簡単な説明】
【００１０】
【図１】本発明の実施形態１に係るテレビ受信装置の分解斜視図
【図２】本発明の実施形態１に係る液晶表示装置の分解斜視図
【図３】本発明の実施形態１に係る液晶表示装置の背面斜視図
【図４】図３の部分拡大図
【図５】ワイヤーホルダーの取り付け前の状態を示す図４に相当する図
【図６】図３のVI−VI線に沿って切断した断面の部分拡大図
【図７】ワイヤーホルダーにソース基板を収容する様子を示す断面図
【図８】変形例に係るワイヤーホルダーを備えた実施形態２に係る液晶表示装置の分解斜視図
【図９】変形例に係るワイヤーホルダーを備えた実施形態２に係る液晶表示装置について図６に相当する図
【図１０】変形例に係るワイヤーホルダーの背面図
【発明を実施するための形態】
【００１１】
＜実施形態１＞
実施形態１を図１から図７を参照して説明する。本実施形態では、バックライト装置３０（照明装置の一例）を備えた液晶表示装置（表示装置の一例）１０、及びそれを搭載したテレビ受信装置１０ＴＶについて例示する。なお、各図面の一部には、Ｘ軸、Ｙ軸、及びＺ軸を示しており、各軸方向が各図で共通した方向となるように描かれている。また、Ｚ軸方向において液晶パネル２０側を表側とし、Ｚ軸方向におけるその反対側を裏側とする。
【００１２】
本実施形態のテレビ受信装置１０ＴＶは、図１に示すように、液晶表示装置１０と、液晶表示装置１０を挟むようにして収容する表裏両キャビネット１０Ｃａ、１０Ｃｂと、電源１０Ｐと、テレビ信号を受信するチューナー１０Ｔと、スタンド１０Ｓとを備える。テレビ受信装置１０ＴＶは、全体として横長の方形をなしており、スタンド１０Ｓに横置き状態で載置される。
【００１３】
液晶表示装置１０は、表示パネルである液晶パネル２０と、液晶パネル２０に光を照射するバックライト装置３０と、を備え、これらが枠状をなすベゼル４０などにより一体的に保持されるようになっている。ベゼル４０は、液晶パネル２０の表側の周縁部に沿って延在しており、液晶表示装置１０の表側の外観を構成している。ベゼル４０は、剛性に優れた金属製や樹脂製とされる。
【００１４】
液晶パネル２０は、画像を表示可能な表示面が表側を向いた姿勢で組み付けられている。液晶パネル２０は、全体として横長な方形状をなしている。液晶パネル２０は、透明な一対のガラス基板が所定のギャップを隔てた状態で貼り合わせられるとともに、両ガラス基板間に液晶層（図示しない）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられている。また、他方のガラス基板には、Ｒ（赤色）、Ｇ（緑色）、Ｂ（青色）等の各着色部が所定配列で配置されたカラーフィルタや対向電極、さらには配向膜等が設けられている。なお、両ガラス基板の外側には偏光板（図示しない）が配されている。
【００１５】
液晶パネル２０の外周縁部には、図２に示すように、液晶パネル２０のガラス基板に形成されたソース配線に制御信号等を供給するソース基板４５（回路基板の一例）が、フレキシブル基板（ＦＰＣ；Flexible Printed Circuits）４７を介して、接続されている。本実施形態において、ソース基板４５は横長な方形状をなし、液晶パネル２０の一方の長辺部に沿って計４枚が並べられている。フレキシブル基板４７は屈曲性を有する薄いフィルム状をなし、例えばポリイミドフィルムに銅箔等の導電体を貼り合わせた基材に、回路パターンが形成された基板であって、各ソース基板４５に６枚ずつ等間隔に配されている。フレキシブル基板４７は、その一端側が液晶パネル２０の周縁部に、他端側がソース基板４５にそれぞれ接続されている。フレキシブル基板４７が屈曲して折れ曲がることにより、図３から図６に示すように、ソース基板４５がバックライト装置３０の裏側に配置可能となる。このようにソース基板４５をバックライト装置３０の裏側に配置すると、ベゼル４０の幅等を狭くすることができるため、液晶表示装置１０の狭額縁化が可能となる。
【００１６】
バックライト装置３０は、図２に示すように、光出射側（液晶パネル２０側）に向けて開口した略箱型をなすシャーシ３１と、シャーシ３１の開口を覆うようにして配される拡散板６０と、拡散板６０から出射した光に所定の光学作用を付与する光学シート３３と、シャーシ３１の外周縁部に沿って配され拡散板６０の外周縁部及び光学シート３３の外周縁部をシャーシ３１との間で挟んで保持するフレーム１５と、を備える。シャーシ３１内には、拡散板６０の直下となる位置に対向状に配されるＬＥＤ５２と、ＬＥＤ５２が実装されたＬＥＤ基板５１と、シャーシ３１内の光を拡散板６０側に反射させる反射シート７０とが収容されている。このように本実施形態に係るバックライト装置３０は、液晶パネル２０の下側（裏側）にＬＥＤ５２が対向して配される、いわゆる直下型のバックライト装置をなすものとされる。
【００１７】
シャーシ３１は金属製とされ、図２に示すように全体としては表側に向けて開口した浅い略箱型をなしている。シャーシ３１は、液晶パネル２０と同様に横長な方形状をなす底部３１Ａと、底部３１Ａの各辺の外端からそれぞれ表側に向けて立ち上がる側部３１Ｂと、側部３１Ｂの立ち上がり端から液晶パネル２０と並行するように延伸する受け部３１Ｃと、を有する。図３に示すように、シャーシ３１の表面のうち、ＬＥＤ５２が収容される面とは反対側の外面３１Ｓには、上記したソース基板４５が配置されており、ソース基板４５はワイヤーホルダー９０（保持部材の一例）により外面３１Ｓ上に保持されている。各ソース基板４５は一つのワイヤーホルダー９０により保持されており、ワイヤーホルダー９０はソース基板４５の長辺方向（Ｘ軸方向）のほぼ中央に配置されている。
【００１８】
なお、ソース基板４５のうちシャーシ３１に対向する側の面に回路パターンが形成されている場合、回路パターンが金属製のシャーシ３１と接触して不要な導通が発生する恐れがある。このため、図３及び図４に示すように、シャーシ３１の外面３１Ｓの表面には絶縁シート３４が貼り付けられている。ただし、本実施形態においては、ソース基板４５のうちワイヤーホルダー９０が配置される中央部には、基準電位となる部分の回路パターンが位置するように設計されているため、図４に示すように、ワイヤーホルダー９０の設置箇所には絶縁シート３４が不要となっている。このようにすることで、絶縁シート３４の隙間を目印に、ワイヤーホルダー９０を位置合わせして配置することができる。
【００１９】
光学シート３３は可撓性を有し、液晶パネル２０およびシャーシ３１の底板３１Ａと同様に平面視で横長の方形状をなす。光学シート３３は、波長選択シート、プリズムシート、反射型偏光板等が積層されたものであって、液晶パネル２０と拡散板６０との間に介在して配されることで、拡散板６０からの出射光に所定の光学作用を付与しつつ液晶パネル２０に向けて出射させる。
【００２０】
拡散板６０は、その板厚が光学シート３３よりも厚く、例えばほぼ透明な樹脂製の基材内に拡散粒子を多数分散して設けた構成とされ、透過する光を拡散させる。ＬＥＤ５２からＺ軸方向に沿って発せられた光は、拡散板６０の裏側の板面（光入射面）に入射して、拡散板６０の表側の板面（光出射面）から光学シート３３側へ拡散するように出射される。
【００２１】
ＬＥＤ５２は、板状のＬＥＤ基板５１の表側を向いた板面（実装面）に実装されている。ＬＥＤ５２は、図２に示すように、複数がＸ軸方向（行方向）及びＹ軸方向（列方向）についてそれぞれほぼ等間隔に行列状（マトリクス状）に並列して配されている。ＬＥＤ５２には、青色発光素子から発せられた光（青色の一次光）を放出するものが用いられているが、その他、発光素子に蛍光体を塗布することにより白色発光するもの、青色、赤色、緑色の３種類のＬＥＤチップが面実装されて白色発光するもの等、様々な種類のものを用いることができる。
【００２２】
反射シート７０は、合成樹脂により形成されたシート状部材であって、その表面が光の反射性に優れた白色を呈するものとされている。反射シート７０は、シャーシ３１の底部３１Ａの表側に敷設されたＬＥＤ基板５１の表側（実装面）に配され、ＬＥＤ基板５１をほぼ全体に亘って覆っている。
【００２３】
次に、ワイヤーホルダー９０について図４から図７を参照して詳しく説明する。ワイヤーホルダー９０はナイロン樹脂等により一体形成されており、図６に示すように、シャーシ３１のうち、傾斜部である側部３１Ｂから平坦部である受け部３１Ｃに亘って配置されている。また、図５において、ワイヤーホルダー９０の取り付け前の状態を実線で、取り付け後の状態（図４に示す状態）を２点鎖線の補助線で示すように、フレキシブル基板４７が屈曲して折れ曲がることにより、ソース基板４５がシャーシ３１の外面３１Ｓに配置され、その配置が維持されるように、ソース基板４５をワイヤーホルダー９０が保持している。
【００２４】
ワイヤーホルダー９０は、図４及び図６に示すように、シャーシ３１の外面３１Ｓに固定される固定部９１と、固定部９１と接続され外面３１Ｓに沿って延在する本体部９３と、本体部９３のうち固定部９１と反対側に設けられ、外面３１Ｓに当接される当接部９５と、を有する。ソース基板４５は、外面３１Ｓと本体部９３との間に形成された収容空間Ｓ１に収容される。
【００２５】
固定部９１は、図４及び図６に示すように板状をなし、その一方の板面９１Ａがシャーシ３１の外面３１Ｓに対して両面テープ９２（接着部材の一例）により接着されている。固定部９１は、図６に示すように、シャーシ３１の側部３１Ｂに配されており、固定部９１と本体部９３とは、固定部９１の中央付近から板面９１Ａに交わる方向（板面９１Ａの垂直方向）に立ち上がる突起部９４により接続されている。
【００２６】
本体部９３は、図４及び図６に示すように細長の板状をなしており、固定部９１の板面９１Ａと平行となるように、突起部９４に対して垂直に接続されている。このような本体部９３の細長状の形状により、本体部９３は、固定部９１側の端部（突起部９４との接続部）９３Ａを支点として、シャーシ３１の外面３１Ｓと交わる方向に容易に変位（わずかに回動）可能となっている（図７）。本体部９３における突起部９４との接続部９３Ａから当接部９５までの長さは、ソース基板４５を収容可能となるよう、ソース基板４５の大きさに応じて適宜設計されている。
【００２７】
当接部９５は、図６に示すように、本体部９３のうち固定部９１と反対側の端部９３Ｂ付近であって、端部９３Ｂから所定の距離Ｌだけ固定部９１側に近づいた位置に形成されている。当接部９５は、本体部９３との接続部である基端部９５Ａから、本体部９３の板面と交わる方向（垂直方向）のうち、シャーシ３１側（固定部９１が設けられている側）に突出している。本実施形態においては、当接部９５はシャーシ３１の受け部３１Ｃに当接している。
【００２８】
続いて、上記した実施形態に係るワイヤーホルダー９０の作用効果について、図６及び図７を参照して説明する。上記したように、本体部９３は、突起部９４との接続部９３Ａを支点としてわずかに回動可能となっており、図７に示すように、本体部９３の端部９３Ｂをシャーシ３１と離れる方向（矢印で示す方向）に動かすと、当接部９５の先端部９５Ｂはシャーシ３１の外面３１Ｓから離反された状態となる。この際、本体部９３の端部９３Ｂと当接部９５の基端部９５Ａとの間には所定の距離Ｌが確保されていることから、作業者等は、この部分に手をあてて本体部９３の端部９３Ｂをシャーシ３１と反対側に引くことにより、容易にこのような離反状態とすることができる。この離反状態において、当接部９５の先端部９５Ｂとシャーシ３１間には間隙が生じるため、この間隙からソース基板４５を収容空間Ｓ１に差し込むことができる。そして、ソース基板４５を収容空間Ｓ１内に格納し、手を放す等して離反状態を解除すると、本体部９３の弾性的な復元力により、当接部９５の先端部９５Ｂが再びシャーシ３１の外面３１Ｓに当接するようになる。このようにしてソース基板４５は外面３１Ｓと本体部９３との間の収容空間Ｓ１に収容される。
【００２９】
当接部９５は、本体部９３により生じるシャーシ３１の外面３１Ｓに向かって付勢する弾性力によって外面３１Ｓに当接されている。本体部９３の弾性力によって、当接部９５はシャーシ３１の外面３１Ｓに対して押し付けられて当接しているため、ソース基板４５が振動を受けたり、フレキシブル基板４７を通じて引っ張られたりした場合であっても、収容空間Ｓ１から落下することなく安定的に収容されるものとなっている。
【００３０】
また、ソース基板４５はシャーシ３１の外面３１Ｓと、ワイヤーホルダー９０の本体部９３との間の収容空間Ｓ１に保持されるため、従来技術のようなワイヤーホルダーの部材間（一対の板面間）にソース基板を挟む込む構成に比べて、ワイヤーホルダーの厚みを薄くすることができる。また、このような構成によれば、傾斜面と平坦面とを有するシャーシ３１の外面３１Ｓであっても、ワイヤーホルダー９０の本体部９３との間に収容空間が形成されるため、ワイヤーホルダー９０を設置可能となる。
【００３１】
さらに、ワイヤーホルダー９０は、当接部９５とシャーシ３１の外面３１Ｓとの当接状態を維持するための係合部材（例えば従来技術における一対の板面を係合する部分）等が不要であるため、構造が簡素で製造が容易である。
【００３２】
加えて、ワイヤーホルダー９０は、ソース基板４５を収容する際、ワイヤーホルダー９０とシャーシ３１間に生じた間隙にソース基板を差し込むだけでよいため、ソース基板４５を収容する作業も極めて簡便である。また、収容作業の都合上、フレキシブル基板４７の長さをあらかじめ長めに確保しておく必要がない。従来技術においては、一対の板面間にソース基板を挟む込むために、少なくとも一方の板面の厚さ分はフレキシブル基板４７を長めに確保しておく必要があった。
【００３３】
なお、当接部９５の先端部９５は、図６の２点鎖線で示されるように、シャーシ３１に取り付け前の状態において、少なくとも固定部９１の板面９１Ａの延長線（１点鎖線で示す）上に達する程度に突出していることが好ましい。シャーシ３１の側部３１Ｂと受け部３１Ｃとのなす角度θが異なる液晶表示装置に対しても、当接部９５がシャーシ３１の外面３１Ｓに対して押し付けられて当接されるものとなるため、共通のワイヤーホルダー９０を用いることができ、部品の共通化が図れるものとなる。
【００３４】
＜実施形態２＞
次に、実施形態２に係る液晶表示装置１００を図８から図１０を参照して説明する。実施形態２において、実施形態１と同様の構成、作用及び効果については重複する説明は省略する。液晶表示装置１００は、変形例に係るワイヤーホルダー１９０と、ＬＥＤ５２が液晶パネル２０の下側（裏側）の端部に偏在して配された、いわゆるエッジライト型（サイドライト型）のバックライト装置１３０とを備える。ソース基板４５は液晶パネル２０の一方の長辺部に沿って計２枚が並べられて配置されており、各ソース基板４５を一つのワイヤーホルダー１９０が保持するものとなっている。
【００３５】
バックライト装置１３０は、図８に示すように、その一方の長辺部に沿ってＬＥＤ５２がＬＥＤ基板１５１上に配されており、ＬＥＤ５２からの光は光学部材である導光板１６０に入射され、導光板１６０の内部を伝搬して液晶パネル２０側へ向けて出射される。導光板１６０は、屈折率が空気よりも十分に高くかつほぼ透明な（透光性に優れた）樹脂材料からなる。導光板１６０は、液晶パネル２０およびシャーシ３１の底部３１Ａと同様に平面視で横長の方形状をなすとともに光学シート３３よりも厚みが大きな板状をなす。導光板１６０はＬＥＤ５２から発せられた光を長辺側の側面（光入射面）１６１から導入するとともに、その光を内部で伝播させつつ光学シート３３側へ向くように立ち上げて表側の表面（光出射面）１６２から出射させる。
【００３６】
バックライト装置１３０は、エッジライト型であるから、実施形態１にて示した直下型のバックライト装置３０において用いていた拡散板６０が備えられていない。また、シャーシ１３１は、液晶パネル２０と同様に横長な方形状をなす底部１３１Ａと、底部１３１Ａの各辺の外端からそれぞれ表側に向けてほぼ垂直に立ち上がる側部１３１Ｂと、を有する。反射シート１７０は、導光板６０とシャーシ１３１の底部１３１Ａとの間に敷設されている。
【００３７】
ワイヤーホルダー１９０は、図９に示すように、シャーシ１３１の外面１３１Ｓであって底部１３１Ａに配されている。このように平坦面のみからなるシャーシ１３１の部分であってもワイヤーホルダー１９１は設置可能である。ワイヤーホルダー１９０において、固定部１９１と本体部１９３とを接続する突起部１９４は、実施形態１と異なり、固定部１９１の当接部１９５側の周縁部付近から立ち上がっている。このように突起部１９４を周縁部から立ち上がるようにすると、固定部１９１が収容空間Ｓ２側に入り込まないようにすることができるため、実施形態１に比べて収容空間Ｓ２を広げることができるものとなる。
【００３８】
また、細長の板状の本体部１９３には、図１０に示すように、長手方向に沿って棒状の補強用リブ１９３Ａが一体形成されている。補強用リブ１９３Ａは、本体部１９３の背面の中央側部分に所定の幅で設けられている。補強用リブ１９３Ａによって、本体部１９３の弾性力を増大できるものとなる。
【００３９】
＜他の実施形態＞
本発明は上記記述及び図面によって説明した実施形態に限定されるものではなく、例えば次のような実施形態も本発明の技術的範囲に含まれる。
【００４０】
（１）上記実施形態では、各ソース基板のほぼ中央にワイヤーホルダーが１つずつ配置される例を示したが、これに限られず、例えば各ソース基板の両端部に各１つずつ（計２つ）設けられていても構わない。
【００４１】
（２）上記実施形態では、ワイヤーホルダーの突起部が固定部から板面の垂直方向に立ち上がる例を示したが、板面に交わる方向であればよく、垂直方向でなくても構わない。同様に、当接部は本体部の板面から垂直方向に突出している例を示したが、板面に交わる方向であればよく垂直方向でなくても構わない。
【００４２】
（３）上記実施形態では、ワイヤーホルダーの固定部が接着部材によりシャーシに固定されている例を示したが、ねじ止め等によって固定されていても構わない。
【００４３】
（４）上記実施形態では、ワイヤーホルダーの各部が一体形成されている例を示したが、各部を別々に形成して後工程で接続して製造されていても構わない。
【００４４】
（５）上記実施形態２では、変形例に係るワイヤーホルダーがエッジライト型の液晶表示装置に備えられた例を示したが、当該ワイヤーホルダーは実施形態１に係る直下型の液晶表示装置にも適用可能である。また、実施形態１で例示したワイヤーホルダーの実施例を、実施形態２に係るエッジライト型の液晶表示装置に適用してもよい。
【００４５】
（６）上記実施形態では、シャーシが金属製である例を示したが、強度の大きい樹脂等により形成されていても構わない。シャーシが非伝導性となる場合、シャーシの外面に絶縁シートを貼り付ける等の構成は不要となる。
【００４６】
（７）上記した実施形態では、光源としてＬＥＤを用いたものを示したが、有機ＥＬ等の他の光源を用いることも可能である。
【００４７】
（８）上記実施形態では、液晶表示装置及びテレビ受信装置は、全体として横長の方形をなしており、横置き状態で設置される例を示したが、縦長の方形をなし、縦置き状態で設置されていてもよい。またその他の形状のものにも適用可能である。
【符号の説明】
【００４８】
１０,１００…液晶表示装置（表示装置）、１０ＴＶ…テレビ受信装置、２０…液晶パネル（表示パネル）、３１,１３１…シャーシ、３１Ａ,１３１Ａ…底部、３１Ｂ,１３１Ｂ…側部、３１Ｃ…受け部、３１Ｓ…外面、４５…ソース基板（回路基板）、５２…ＬＥＤ（光源）、９０,１９０…ワイヤーホルダー（保持部材）、９１,１９１…固定部、９１Ａ,１９１Ａ…板面、９２…両面テープ（接着部材）、９３,１９３…本体部、９４,１９４…突起部、９５,１９５…当接部、１９３Ａ…補強用リブ、Ｓ１,Ｓ２…収容空間
【図１】
2020034584.tif 000003
【図２】
2020034584.tif 000004
【図３】
2020034584.tif 000005
【図４】
2020034584.tif 000006
【図５】
2020034584.tif 000007
【図６】
2020034584.tif 000008
【図７】
2020034584.tif 000009
【図８】
2020034584.tif 000010
【図９】
2020034584.tif 000011
【図１０】
2020034584.tif 000012